(57)【要約】【課題】２つの発光ダイオードを切り換えて発光させる場合において、発光の切り換えに必要となるスイッチ素子の数を１つに減少させる。【解決手段】アノードが第１の直流出力Ｐ１に接続された第１の発光ダイオードＤ１と、アノードが第２の直流出力Ｐ２に接続され、カソードが第１の発光ダイオードＤ１のカソードに接続された第２の発光ダイオードＤ２と、一方の端子が第２の発光ダイオードＤ２のカソードに接続され、他方の端子が接地された第１の抵抗Ｒ１と、第１の発光ダイオードＤ１の電流経路のうち、第１の直流出力Ｐ１の直流出力の出力点２０１から第１の抵抗Ｒ１の一方の端子までの経路部分に挿入された第１のスイッチ素子Ｑ１とを備え、第１の直流出力Ｐ１の電圧を第２の直流出力Ｐ２の電圧より高くしている。【選択図】  図１
2006032449.tif 000002
【特許請求の範囲】
【請求項１】
第１の直流出力と第２の直流出力とを送出する電源部と、
アノードが第１の直流出力に接続された第１の発光ダイオードと、
アノードが第２の直流出力に接続され、カソードが第１の発光ダイオードのカソードに接続された第２の発光ダイオードと、
一方の端子が第２の発光ダイオードのカソードに接続され、他方の端子が接地された第１の抵抗と、
第１の発光ダイオードの電流経路のうち、第１の直流出力の出力点から第１の抵抗の前記一方の端子までの経路部分に挿入された第１のスイッチ素子と、
第１の発光ダイオードの電流経路のうち、第１の直流出力の出力点から第１の抵抗の前記一方の端子までの経路部分に挿入された第２の抵抗と、
第２の発光ダイオードの電流経路に挿入された第２のスイッチ素子と、
第１の直流出力と第２の直流出力とを動作電源とし、ビデオカセットテープを記録媒体とするビデオレコーダ部とＤＶＤを記録媒体とするＤＶＤレコーダ部とを有する負荷装置部と、
電源部の動作と負荷回路部の動作とを制御するとともに、第１のスイッチ素子の接続の開閉と第２のスイッチ素子の接続の開閉とを制御する制御部とを備え、
第１の直流出力の電圧を第２の直流出力の電圧より高くし、
第２の抵抗の値を、第１のスイッチ素子の接続を閉じたときに第２の発光ダイオードが消灯していると見なすことができる範囲のうちの最大値近傍の値とし、
制御部は、電源オフの指示が与えられたときには、第１のスイッチ素子の接続と第２のスイッチ素子の接続とを開くとともに負荷装置部を電源オフに対応した状態に移行させる制御を行い、負荷装置部が電源オフに対応した状態に移行した後に、電源部からの第１の直流出力と第２の直流出力との送出を停止させ、
第１の発光ダイオードの発光でもってＶＣＲモードとＤＶＤモードとのうちの一方のモードであることを示し、第２の発光ダイオードの発光でもってＶＣＲモードとＤＶＤモードとのうちの他方のモードであることを示すことを特徴とするビデオカセットレコーダ一体型ＤＶＤレコーダ。
【請求項２】
アノードが第１の直流出力に接続された第１の発光ダイオードと、
アノードが第２の直流出力に接続され、カソードが第１の発光ダイオードのカソードに接続された第２の発光ダイオードと、
一方の端子が第２の発光ダイオードのカソードに接続され、他方の端子が接地された第１の抵抗と、
第１の発光ダイオードの電流経路のうち、第１の直流出力の出力点から第１の抵抗の前記一方の端子までの経路部分に挿入された第１のスイッチ素子とを備え、
第１の直流出力の電圧を第２の直流出力の電圧より高くしたことを特徴とする発光ダイオード点灯装置。
【請求項３】
第１の発光ダイオードの電流経路のうち、第１の直流出力の出力点から第１の抵抗の前記一方の端子までの経路部分に挿入された第２の抵抗を備え、
第２の抵抗の値を、第１のスイッチ素子の接続を閉じたときに第２の発光ダイオードが消灯していると見なすことができる範囲のうちの最大値近傍の値としたことを特徴とする請求項２記載の発光ダイオード点灯装置。
【請求項４】
第１の直流出力と第２の直流出力とを送出する電源部と、
第１の直流出力と第２の直流出力とを動作電源とする負荷装置部と、
第２の発光ダイオードの電流経路に挿入された第２のスイッチ素子と、
電源回路の動作と負荷回路部の動作とを制御するとともに、第１のスイッチ素子の接続の開閉と第２のスイッチ素子の接続の開閉とを制御する制御部とを備え、
制御部は、電源オフの指示が与えられたときには、第１のスイッチ素子の接続と第２のスイッチ素子の接続とを開くとともに負荷装置部を電源オフに対応した状態に移行させる制御を行い、負荷装置部が電源オフに対応した状態に移行した後に、電源部からの第１の直流出力と第２の直流出力との送出を停止させることを特徴とする請求項２または請求項３記載の発光ダイオード点灯装置。
【発明の詳細な説明】
【技術分野】
【０００１】
本発明は、２つの発光ダイオードの発光を切り換えるビデオカセットレコーダ一体型ＤＶＤレコーダおよび発光ダイオード点灯装置に係り、より詳細には、１つのスイッチ素子を用いて、２つの発光ダイオードの発光を切り換えるビデオカセットレコーダ一体型ＤＶＤレコーダおよび発光ダイオード点灯装置に関するものである。
【背景技術】
【０００２】
映像信号をビデオカセットテープとＤＶＤとの双方に記録可能な装置であるビデオカセットレコーダ一体型ＤＶＤレコーダにおいては、現在のモードが、ビデオカセットテープを使用するＶＣＲモードであるのか、あるいは、ＤＶＤを使用するＤＶＤモードであるのかを表示する必要がある。このため、２つのＬＥＤが設けられており、ＶＣＲモードとなるときには、ＶＣＲモードを示すＬＥＤを発光させ、ＤＶＤモードとなるときには、ＤＶＤモードを示すＬＥＤを発光させるようにしている。図４は、このときに使用される回路を示しており、ＶＣＲモードを示すＬＥＤ９１は、トランジスタＱ８のコレクタに接続され、ＤＶＤモードを示すＬＥＤ９２は、トランジスタＱ９のコレクタに接続されている。このため、信号９９をＨレベルとするときには、トランジスタＱ８がオフ、トランジスタＱ９がオンになって、ＤＶＤモードを示すＬＥＤ９２が発光する。また、信号９９をＬレベルとするときには、トランジスタＱ８がオン、トランジスタＱ９がオフになって、ＶＣＲモードを示すＬＥＤ９１が発光する。すなわち、信号９９のレベルに対応して、ＬＥＤ９１、または、ＬＥＤ９２の一方が発光する（第１の従来技術とする）。
【０００３】
また、２つのＬＥＤの任意の一方の側を発光可能にする回路として、以下に示す技術が提案されている（第２の従来技術とする）。すなわち、この技術では、２つのトランジスタのうちの一方である第１のトランジスタについては、抵抗を介して、ベースにプラス電源を導いている。また、ベースと接地レベルとの間にコンデンサを接続している。且つ、アノードがベースに接続され、カソードがプラス電源に接続されたダイオードを設けている。また、コレクタとプラス電源との間に第１のＬＥＤを接続している。そして、他方である第２のトランジスタについては、ベースに抵抗の一方の端子を接続している。また、抵抗の他方の端子と接地レベルとの間に第１のコンデンサを接続している。また、一方の端子がプラス電源に接続された第２のコンデンサを設けている。そして、第２のコンデンサにアノードが接続され、カソードが抵抗の他方の端子に接続されたダイオードと、アノードが接地され、カソードが第２のコンデンサの他方の端子に接続されたダイオードとを設けている。また、コレクタとプラス電源との間に第２のＬＥＤを接続している。このため、プラス電源の電圧が所定値となるときには、第１のトランジスタがオン、第２のトランジスタがオフとなって、第１のＬＥＤのみが発光する。一方、プラス電源がパルス形状となるときには、第１のトランジスタがオフ、第２のトランジスタがオンとなって、第２のＬＥＤのみが発光する。そして、プラス電源が、所定電圧にパルスが重畳された電圧波形となるときには、第１のトランジスタと第２のトランジスタとの双方がオンとなって、第１のＬＥＤと第２のＬＥＤとの双方が発光する（例えば、特許文献１参照）。
【０００４】
また、以下に示す技術が提案されている（第３の従来技術とする）。すなわち、この技術では、２つのトランジスタの一方のベースにパルスを入力し、他方のトランジスタのベースには、前記パルスを反転したパルスを入力している。すなわち、２つのトランジスタを交互にオンオフさせるようにしている。そして、２つのトランジスタのうちの一方のトランジスタのコレクタには赤色のＬＥＤのアノードを接続し、他方のトランジスタのコレクタには緑色のＬＥＤのアノードを接続している。そして、赤色のＬＥＤのカソードと緑色のＬＥＤのカソードとを共に接続している。従って、この接続点に、パルスに対応する波形を印加するときでは、赤色のＬＥＤが発光する。また、前記接続点に、前記パルスを反転させた波形を印加するときでは緑色のＬＥＤが発光する。また、前記接続点をＨレベルとするときでは赤色のＬＥＤと緑色のＬＥＤとの双方が消灯し、前記接続点をＬレベルとするときでは赤色のＬＥＤと緑色のＬＥＤとの双方が発光する（例えば、特許文献２参照）。
【特許文献１】実開平１−６５１５８号公報
【特許文献２】特開平３−１１８９号公報
【発明の開示】
【発明が解決しようとする課題】
【０００５】
しかしながら、第１の従来技術を用いるときには、以下に示す問題を生じていた。すなわち、ＬＥＤ９１に対応してトランジスタＱ８が設けられ、ＬＥＤ９２に対応してトランジスタＱ９が設けられている。すなわち、２つのトランジスタＱ８，Ｑ９を用いた構成となっている。一方、トランジスタは、ディスクリート素子としては、比較的高価な素子となっている。このため、２つのＬＥＤを用いて、ＶＣＲモードであるのか、あるいは、ＤＶＤモードであるのかを表示する場合においても、使用するトランジスタの個数を少なくすることが求められていた。
【０００６】
第２の従来技術は、２つのトランジスタと３つのダイオードとが不可欠な技術となっている。このため、第１の従来技術において生じた問題を解決しようとする観点、すなわち、２つのＬＥＤを用いて、ＶＣＲモードであるのか、あるいは、ＤＶＤモードであるのかを表示する場合において、使用するトランジスタの個数を少なくするという観点から見る場合には、適用することが困難な技術となっている。
【０００７】
第３の従来技術は、２つのトランジスタが不可欠な技術となっている。このため、第１の従来技術において生じた問題を解決しようとする観点、すなわち、２つのＬＥＤを用いて、ＶＣＲモードであるのか、あるいは、ＤＶＤモードであるのかを表示する場合において、使用するトランジスタの個数を少なくするという観点から見る場合には、適用することが困難な技術となっている。
【０００８】
本発明は、上記の問題点を解決するため創案されたものであり、その目的は、ＶＣＲモードを示す発光ダイオードとＤＶＤモードを示す発光ダイオードとを切り換えて発光させる場合において、発光の切り換えに必要となるスイッチ素子の数を１つに減少させることのでき、且つ、２つの発光ダイオードの光量の差異を低減することのでき、且つ、電源オフに対応する動作を実行する場合にも、電源オフの指示が入力されたときに、電源オフの表示の遅れを防止することのできるビデオカセットレコーダ一体型ＤＶＤレコーダを提供することにある。
【０００９】
また本発明の目的は、互いのカソードが接続された２つの発光ダイオードの一方の側の電流経路にスイッチ素子を挿入するとともに、スイッチ素子が挿入された側の発光ダイオードに供給する直流出力の電圧を、他方の発光ダイオードの側に供給する直流出力の電圧より高くすることよって、２つの発光ダイオードを切り換えて発光させる場合において、発光の切り換えに必要となるスイッチ素子の数を１つに減少させることのできる発光ダイオード点灯装置を提供することにある。
【００１０】
また、上記目的に加え、スイッチ素子が挿入された発光ダイオードの側の電流経路に抵抗を挿入し、この抵抗の値を、スイッチ素子の接続を閉じたとき、スイッチ素子が挿入されていない側の発光ダイオードが消灯していると見なすことができる範囲のうちで、最大値近傍の値とすることにより、２つの発光ダイオードの光量の差異を低減することのできる発光ダイオード点灯装置を提供することにある。
【００１１】
また、上記目的に加え、電源オフの指示が入力されたときには、装置の主要部が電源オフに対応する動作を実行している状態にあるときにも、発光ダイオードの発光を停止させることにより、電源オフに対応する動作を実行する場合にも、電源オフの指示が入力されたときに、電源オフの表示の遅れを防止することのできる発光ダイオード点灯装置を提供することにある。
【課題を解決するための手段】
【００１２】
上記の課題を解決するため、本発明に係るビデオカセットレコーダ一体型ＤＶＤレコーダは、第１の直流出力と第２の直流出力とを送出する電源部と、アノードが第１の直流出力に接続された第１の発光ダイオードと、アノードが第２の直流出力に接続され、カソードが第１の発光ダイオードのカソードに接続された第２の発光ダイオードと、一方の端子が第２の発光ダイオードのカソードに接続され、他方の端子が接地された第１の抵抗と、第１の発光ダイオードの電流経路のうち、第１の直流出力の出力点から第１の抵抗の前記一方の端子までの経路部分に挿入された第１のスイッチ素子と、第１の発光ダイオードの電流経路のうち、第１の直流出力の出力点から第１の抵抗の前記一方の端子までの経路部分に挿入された第２の抵抗と、第２の発光ダイオードの電流経路に挿入された第２のスイッチ素子と、第１の直流出力と第２の直流出力とを動作電源とし、ビデオカセットテープを記録媒体とするビデオレコーダ部とＤＶＤを記録媒体とするＤＶＤレコーダ部とを有する負荷装置部と、電源部の動作と負荷回路部の動作とを制御するとともに、第１のスイッチ素子の接続の開閉と第２のスイッチ素子の接続の開閉とを制御する制御部とを備え、第１の直流出力の電圧を第２の直流出力の電圧より高くし、第２の抵抗の値を、第１のスイッチ素子の接続を閉じたときに第２の発光ダイオードが消灯していると見なすことができる範囲のうちの最大値近傍の値とし、制御部は、電源オフの指示が与えられたときには、第１のスイッチ素子の接続と第２のスイッチ素子の接続とを開くとともに負荷装置部を電源オフに対応した状態に移行させる制御を行い、負荷装置部が電源オフに対応した状態に移行した後に、電源部からの第１の直流出力と第２の直流出力との送出を停止させ、第１の発光ダイオードの発光でもってＶＣＲモードとＤＶＤモードとのうちの一方のモードであることを示し、第２の発光ダイオードの発光でもってＶＣＲモードとＤＶＤモードとのうちの他方のモードであることを示すようになっている。
【００１３】
すなわち、第１のスイッチ素子の接続を閉じると、第１の抵抗に流れる電流には、第１の発光ダイオードを流れる電流が加わる。従って、第２の発光ダイオードのカソードの電圧が上昇し、第２の発光ダイオードに流れる電流が減少する。従って、第１の直流出力の電圧と第２の直流出力の電圧との差異を、第１のスイッチ素子の接続を閉じるとき、第２の発光ダイオードに流れる電流が０近傍となるように設定すると、第１のスイッチ素子の接続を開いたときには第２の発光ダイオードが発光し、第１のスイッチ素子の接続を閉じたときには第１の発光ダイオードが発光する。また、第１のスイッチ素子の接続を閉じたときに、第２の発光ダイオードが消灯していると見なすことができる範囲内で、第２の抵抗の値を変化させると、第２の抵抗の値が大きくなるに従い、第１のスイッチ素子の接続が開かれているときに第２の発光ダイオードに流れる電流と、第１のスイッチ素子の接続が閉じられているときに第１の発光ダイオードに流れる電流との比率が１に近づく。また、電源オフの指示を入力すると、直ちに、第１の発光ダイオードの発光と第２の発光ダイオードの発光とが停止する。
【００１４】
また本発明に係る発光ダイオード点灯装置は、アノードが第１の直流出力に接続された第１の発光ダイオードと、アノードが第２の直流出力に接続され、カソードが第１の発光ダイオードのカソードに接続された第２の発光ダイオードと、一方の端子が第２の発光ダイオードのカソードに接続され、他方の端子が接地された第１の抵抗と、第１の発光ダイオードの電流経路のうち、第１の直流出力の出力点から第１の抵抗の前記一方の端子までの経路部分に挿入された第１のスイッチ素子とを備え、第１の直流出力の電圧を第２の直流出力の電圧より高くしている。
【００１５】
すなわち、第１のスイッチ素子の接続を閉じると、第１の抵抗に流れる電流には、第１の発光ダイオードを流れる電流が加わる。従って、第２の発光ダイオードのカソードの電圧が上昇し、第２の発光ダイオードに流れる電流が減少する。従って、第１の直流出力の電圧と第２の直流出力の電圧との差異を、第１のスイッチ素子の接続を閉じるとき、第２の発光ダイオードに流れる電流が０近傍となるように設定すると、第１のスイッチ素子の接続を開いたときには第２の発光ダイオードが発光し、第１のスイッチ素子の接続を閉じたときには第１の発光ダイオードが発光する。
【００１６】
また、上記構成に加え、第１の発光ダイオードの電流経路のうち、第１の直流出力の出力点から第１の抵抗の前記一方の端子までの経路部分に挿入された第２の抵抗を備え、第２の抵抗の値を、第１のスイッチ素子の接続を閉じたときに第２の発光ダイオードが消灯していると見なすことができる範囲のうちの最大値近傍の値としている。
【００１７】
すなわち、第１のスイッチ素子の接続を閉じたときに、第２の発光ダイオードが消灯していると見なすことができる範囲内で、第２の抵抗の値を変化させると、第２の抵抗の値が大きくなるに従い、第１のスイッチ素子の接続が開かれているときに第２の発光ダイオードに流れる電流と、第１のスイッチ素子の接続が閉じられているときに第１の発光ダイオードに流れる電流との比率が１に近づく。
【００１８】
また、上記構成に加え、第１の直流出力と第２の直流出力とを送出する電源部と、第１の直流出力と第２の直流出力とを動作電源とする負荷装置部と、第２の発光ダイオードの電流経路に挿入された第２のスイッチ素子と、電源回路の動作と負荷回路部の動作とを制御するとともに、第１のスイッチ素子の接続の開閉と第２のスイッチ素子の接続の開閉とを制御する制御部とを備え、制御部は、電源オフの指示が与えられたときには、第１のスイッチ素子の接続と第２のスイッチ素子の接続とを開くとともに負荷装置部を電源オフに対応した状態に移行させる制御を行い、負荷装置部が電源オフに対応した状態に移行した後には、電源部からの第１の直流出力と第２の直流出力との送出を停止させるようにしている。すなわち、電源オフの指示を入力すると、直ちに、第１の発光ダイオードの発光と第２の発光ダイオードの発光とが停止する。
【発明の効果】
【００１９】
本発明によれば、第１のスイッチ素子の接続を開いたときには第２の発光ダイオードが発光し、第１のスイッチ素子の接続を閉じたときには第１の発光ダイオードが発光する。また、第１のスイッチ素子の接続が開かれているときに第２の発光ダイオードに流れる電流と、第１のスイッチ素子の接続が閉じられているときに第１の発光ダイオードに流れる電流との比率が１に近い値になっている。また、電源オフの指示を入力すると、直ちに、第１の発光ダイオードの発光と第２の発光ダイオードの発光とが停止する。このため、ＶＣＲモードを示す発光ダイオードとＤＶＤモードを示す発光ダイオードとを切り換えて発光させる場合において、発光の切り換えに必要となるスイッチ素子の数を１つに減少させることができ、且つ、２つの発光ダイオードの光量の差異を低減することができ、且つ、電源オフに対応する動作を実行する場合にも、電源オフの指示が入力されたときに、電源オフの表示の遅れを防止することができる。
【００２０】
また本発明によれば、第１のスイッチ素子の接続を開いたときには第２の発光ダイオードが発光し、第１のスイッチ素子の接続を閉じたときには第１の発光ダイオードが発光するので、２つの発光ダイオードを切り換えて発光させる場合において、発光の切り換えに必要となるスイッチ素子の数を１つに減少させることができる。
【００２１】
また、さらに、第１のスイッチ素子の接続が開かれているときに第２の発光ダイオードに流れる電流と、第１のスイッチ素子の接続が閉じられているときに第１の発光ダイオードに流れる電流との比率は１に近い値となっている。このため、２つの発光ダイオードの光量の差異を低減することができる。
【００２２】
また、さらに、電源オフの指示を入力すると、直ちに、第１の発光ダイオードの発光と第２の発光ダイオードの発光とが停止する。このため、電源オフに対応する動作を実行する場合にも、電源オフの指示が入力されたときに、電源オフの表示の遅れを防止することができる。
【発明を実施するための最良の形態】
【００２３】
以下、本発明の実施の形態について図を参照して説明する。
【００２４】
図１は、本発明に係る発光ダイオード点灯装置の一実施形態を用いたビデオカセットレコーダ一体型ＤＶＤレコーダの電気的構成を示すブロック線図である。
【００２５】
図において、負荷装置部１は、ビデオカセットレコーダ一体型ＤＶＤレコーダとしての主要動作を実行するブロックとなっている。このため、ビデオレコーダ部８とＤＶＤレコーダ部９とを備えている。ビデオレコーダ部８は、ＶＣＲモードにおいて、チューナ部（図示を省略）より出力される映像信号をビデオカセットテープ（図示を省略）に記録する。また、ビデオカセットテープに記録された映像信号を再生して、外部に設けられたテレビ受像機１１に出力する。ＤＶＤレコーダ部９は、ＤＶＤモードにおいて、チューナ部より出力される映像信号をＤＶＤ（図示を省略）に記録する。また、ＤＶＤに記録された映像信号を再生してテレビ受像機１１に出力する。
【００２６】
電源部２は、負荷装置部１が必要とする動作電源を生成して出力する。すなわち、５Ｖの直流出力（請求項記載の第１の直流出力）Ｐ１を生成して、負荷装置部１に送出する。また、３．３Ｖの直流出力（請求項記載の第２の直流出力）Ｐ２を生成して、負荷装置部１に送出する。また、その他の電圧の直流出力（図示を省略）を生成して、負荷装置部１に送出する。
【００２７】
ＬＥＤ表示回路部６は、動作モードが、ビデオカセットテープを用いるＶＣＲモードであるのか、あるいは、ＤＶＤを用いるＤＶＤモードであるのかを表示する。また、電源がオン状態であるのかどうかも表示する。このため、第１〜第３の３つの発光ダイオードＤ１〜Ｄ３、２つのトランジスタＱ１，Ｑ２、５つの抵抗Ｒ１〜Ｒ３，Ｒ１１，Ｒ１２を備えている。
【００２８】
詳細には、第１の発光ダイオードＤ１は、装置本体の前面パネル（図示を省略）に設けられており、ＶＣＲモードであることを示すときに発光される。第２の発光ダイオードＤ２も、同様に、装置本体の前面パネルに設けられており、ＤＶＤモードであることを示すときに発光される。そして、第２の発光ダイオードＤ２のカソードと接地レベルとの間には、第２の発光ダイオードＤ２に流れる電流を所定値に設定するための第１の抵抗Ｒ１が接続されている。
【００２９】
第２の抵抗Ｒ２は、第１の発光ダイオードＤ１の電流経路のうち、第１の直流出力Ｐ１の出力点２０１から第１の抵抗Ｒ１の前記一方の端子までの経路部分に挿入された素子となっていて、第１の発光ダイオードＤ１に流れる電流を設定する。このため、第１の発光ダイオードＤ１のカソードは、第２の抵抗Ｒ２を介して、第２の発光ダイオードＤ２のカソードに接続されている。
【００３０】
トランジスタＱ１は、第１の発光ダイオードＤ１の電流経路のうち、第１の直流出力Ｐ１の出力点２０１から第１の抵抗Ｒ１の前記一方の端子までの経路部分に挿入された第１のスイッチ素子となっている。このため、トランジスタＱ１のエミッタは第１の直流出力Ｐ１に接続され、トランジスタＱ１のコレクタは第１の発光ダイオードＤ１のアノードに接続されている。また、トランジスタＱ１のベースには、抵抗Ｒ１１を介して、制御部３からの出力が導かれている。
【００３１】
トランジスタＱ２は、第２の発光ダイオードＤ２の電流経路に挿入された第２のスイッチ素子となっている。このため、トランジスタＱ２のエミッタは第２の直流出力Ｐ２に接続され、トランジスタＱ２のコレクタは第２の発光ダイオードＤ２のアノードに接続されている。また、トランジスタＱ２のベースには、抵抗Ｒ１２を介して、制御部３からの出力が導かれている。
【００３２】
第３の発光ダイオードＤ３は、電源がオン状態となるときに発光される素子となっている。このため、アノードはトランジスタＱ２のコレクタに接続され、カソードは、電流を所定値に設定するための抵抗Ｒ３を介して、接地されている。
【００３３】
以上でＬＥＤ表示回路部６の説明を終了し、その他のブロックの説明に戻る。入力部４は、図示されない装置本体の前面パネルに設けられた電源キー等のキースイッチや、リモートコントローラ５から送信される赤外線信号を受光する受光ユニット等を備えており、ユーザからの指示が入力されると、入力された指示を制御部３に出力する。
【００３４】
制御部３は、ビデオカセットレコーダ一体型ＤＶＤレコーダとしての主要動作を制御する。すなわち、電源オンとなるときには、電源部２を制御することによって、電源部２から負荷装置部１に動作電源の供給を開始させる。また、トランジスタＱ２をオン状態とすることによって、第３の発光ダイオードＤ３を発光させ、電源がオンであることを表示する。また、ＶＣＲモードとなるときには、第１の発光ダイオードＤ１を発光させ、ＤＶＤモードとなるときには、第２の発光ダイオードＤ２を発光させる（これらの発光の動作については、後に詳述する）。
【００３５】
また、制御部３は、ＶＣＲモードにおいて、再生の指示がリモートコントローラ５に入力されたときには、ビデオレコーダ部８を制御することにより、ビデオカセットテープに記録された映像信号を再生して、テレビ受像機１１に表示する。また、録画の指示がリモートコントローラ５に入力されたときには、チューナ部（図示を省略）から出力される映像信号をビデオカセットテープに記録する。
【００３６】
また、ＤＶＤモードにおいて、再生の指示がリモートコントローラ５に入力されたときには、ＤＶＤレコーダ部９を制御することにより、ＤＶＤに記録された映像信号を再生してテレビ受像機１１に表示する。また、録画の指示がリモートコントローラ５に入力されたときには、チューナ部（図示を省略）から出力される映像信号をＤＶＤに記録する。
【００３７】
また、制御部３は、電源オフの指示が与えられたときには、トランジスタＱ１とトランジスタＱ２とをオフにして、第１の〜第３の３つの発光ダイオードＤ１〜Ｄ３の発光を停止させることにより、外部から装置を見たときの状態を、電源オフ状態とする。また、負荷装置部１を電源オフに対応した状態に移行させる制御を開始する。そして、負荷装置部１が電源オフに対応した状態に移行した後には、電源部２からの第１の直流出力Ｐ１と第２の直流出力Ｐ２との送出を停止させる。
【００３８】
上記構成からなる実施形態の動作について説明する。
【００３９】
いま、第１の直流出力Ｐ１が規定値の５Ｖ、第２の直流出力Ｐ２が規定値の３．３Ｖになっているとして、ＬＥＤ表示回路部６の動作を説明する。なお、第１の直流出力Ｐ１を５Ｖ、第２の直流出力Ｐ２を３．３Ｖとしているのは、下記の理由による。
【００４０】
すなわち、本実施形態におけるプリント基板においては、筐体に取り付けられたとき、前面パネルの近傍となる範囲には、５Ｖの電源用のパターンと３．３Ｖの電源用のパターンとが形成されているが、その他のプラスの電圧（例えば、１０Ｖ等）のパターンは形成されていない。このため、３．３Ｖと５Ｖとの電圧の組み合わせとは異なる電圧の組み合わせを用いようとすると、３．３Ｖや５Ｖとは異なる電圧の電源用のパターンを、プリント基板の中央や後方から、前面パネルの近傍まで引き回す必要が生じる。つまり、パターンの複雑を招く。しかし、３．３Ｖと５Ｖとの電圧の組み合わせとする場合では、上記したパターンの複雑化が回避される。
【００４１】
ＬＥＤ表示回路部６の動作説明に移る。トランジスタＱ１がオフ（信号３１がＨレベル）、トランジスタＱ２がオン（信号３２がＬレベル）になると、第２の発光ダイオードＤ２と第３の発光ダイオードＤ３とに電流が流れる。従って、第３の発光ダイオードＤ３が発光し、電源がオン状態であることが示される。また、第２の発光ダイオードＤ２が発光し、動作モードがＶＣＲモードであることが示される。この状態において、信号３１をＨレベルからＬレベルに変化させると、トランジスタＱ１がオフからオンに移行する。
【００４２】
トランジスタＱ１がオンに移行すると、第１の直流出力Ｐ１が、第１の発光ダイオードＤ１と第２の抵抗Ｒ２とを介して、第１の抵抗Ｒ１に流れる。従って、第１の抵抗Ｒ１と第２の抵抗Ｒ２との接続点３３の電圧は上昇する。この電圧の上昇分については、第１の直流出力Ｐ１の電圧が第２の直流出力Ｐ２の電圧より高いので、第２の抵抗Ｒ２の抵抗値が大きいときには上昇分は少ないが、第２の抵抗Ｒ２の抵抗値を小さくするに従い、接続点３３の電圧の上昇分が増大する。
【００４３】
一方、接続点３３の電圧が上昇するときには、第２の発光ダイオードＤ２のアノード・カソード間電圧が減少するため、第２の発光ダイオードＤ２に流れる電流が減少する。そして、接続点３３の電圧が上昇し、第２の発光ダイオードＤ２のアノード・カソード間電圧が約１．６Ｖまで減少したときには、環境温度が高くなる場合であっても、第２の発光ダイオードＤ２に流れる電流は０近傍となる。つまり、アノード・カソード間電圧が約１．６Ｖまで減少したときには、第２の発光ダイオードＤ２の発光が停止する。
【００４４】
以上のことは、トランジスタＱ１のオン・オフを切り換えるのみで、第１の発光ダイオードＤ１を消灯させ、第２の発光ダイオードＤ２を発光させる状態と、第１の発光ダイオードＤ１を発光させ、第２の発光ダイオードＤ２を消灯させる状態とに切り換えできることを意味している。
【００４５】
また、第１の発光ダイオードＤ１を消灯させ、第２の発光ダイオードＤ２を発光させるときの接続点３３の電圧と、第１の発光ダイオードＤ１を発光させ、第２の発光ダイオードＤ２を消灯させるときの接続点３３の電圧とを比較すると、第１の発光ダイオードＤ１を発光させ、第２の発光ダイオードＤ２を消灯させるときの接続点３３の電圧の方が高くなることも、併せて意味している。
【００４６】
このことは、第１の発光ダイオードＤ１を消灯させ、第２の発光ダイオードＤ２を発光させるときに第２の発光ダイオードＤ２に流れる電流より、第１の発光ダイオードＤ１を発光させ、第２の発光ダイオードＤ２を消灯させるときに第１の発光ダイオードＤ１に流れる電流の方が多くなってしまうことを意味している。つまり、輝度的には、第１の発光ダイオードＤ１の輝度が第２の発光ダイオードＤ２の輝度より高くなることを意味している。
【００４７】
このため、第２の抵抗Ｒ２の値については、トランジスタＱ１の接続を閉じたときに、第２の発光ダイオードＤ２が消灯していると見なすことができる範囲のうちで、最も大きい値を採用している。つまり、第２の発光ダイオードＤ２が消灯していると見なすことができる範囲で、接続点３３の電圧の上昇分が最少となるように、第２の抵抗Ｒ２の抵抗値を設定している。
【００４８】
従って、第１の発光ダイオードＤ１を消灯させ、第２の発光ダイオードＤ２を発光させるときに第２の発光ダイオードＤ２に流れる電流と、第１の発光ダイオードＤ１を発光させ、第２の発光ダイオードＤ２を消灯させるときに第１の発光ダイオードＤ１に流れる電流との比率は、１に近い比率となる。このため、第１の発光ダイオードＤ１と第２の発光ダイオードＤ２との視覚的な輝度の差異は、無視することが可能なレベルに抑制されることになる。
【００４９】
なお、実機においては、第１の発光ダイオードＤ１を消灯させ、第２の発光ダイオードＤ２を発光させるとき、第２の発光ダイオードＤ２に流れる電流は約１１ｍＡとなっており、第１の発光ダイオードＤ１を発光させ、第２の発光ダイオードＤ２を消灯させるとき、第１の発光ダイオードＤ１に流れる電流は約１５ｍＡとなっている。このため、第１の発光ダイオードＤ１と第２の発光ダイオードＤ２との輝度の差異は、無視することが可能となっている。
【００５０】
図２は電源オン時の実施形態の主要動作を示すフローチャート、図３は、モード変更の指示や電源オフの指示を入力したときの実施形態の主要動作を示すフローチャートである。必要に応じて同図を参照しつつ、実施形態の動作を説明する。
【００５１】
いま、電源オフ状態にあるとする。この状態において、リモートコントローラ５等に、電源オンの指示が入力される（ステップＳ１）と、制御部３は、電源部２を制御することによって、負荷装置部１に、第１の直流出力Ｐ１と第２の直流出力Ｐ２とを送出させる。また、図示されない直流出力を送出させる（ステップＳ２）。また、トランジスタＱ２をオンにして、第３の発光ダイオードＤ３を発光させ、電源オン状態であることを表示する（ステップＳ３）。
【００５２】
そして後、前回の電源オフ時の動作モードが、ＶＣＲモードであったのか、あるいは、ＤＶＤモードであったのかを調べる（ステップＳ４）。前回の電源オフ時の動作モードがＶＣＲモードであったときには、トランジスタＱ１をオンとして、第１の発光ダイオードＤ１を発光させ、第２の発光ダイオードＤ２を消灯させて、動作モードがＶＣＲモードであることを表示する（ステップＳ５，Ｓ６）。一方、前回の電源オフ時の動作モードがＤＶＤモードであったときには、トランジスタＱ１をオフとして、第１の発光ダイオードＤ１を消灯し、第２の発光ダイオードＤ２を発光させて、動作モードがＤＶＤモードであることを表示する（ステップＳ５，Ｓ７）。
【００５３】
上記動作によって電源オンに移行した後には、リモートコントローラ５等に、モード変更の指示が入力されたかどうか、電源オフの指示が入力されたかどうか、あるいは、その他の指示が入力されたかどうかを調べるループ動作に移行する（ステップＳ１１，Ｓ１２，Ｓ２７）。
【００５４】
上記ループ動作において、リモートコントローラ５等に、動作モードをＶＣＲモードからＤＶＤモードに変更する指示が入力されると、制御部３は、動作をステップＳ１１からステップＳ２１に移行して、指示された動作モードがＶＣＲモードであるかどうかを調べる。このときでは、ＤＶＤモードであるため、動作は、ステップＳ２１からステップＳ２３に移行し、トランジスタＱ１がオフされる（既にオフ状態にあるときでは、その状態が維持される）。その結果、第１の発光ダイオードＤ１が消灯され、第２の発光ダイオードＤ２が発光されて、ＤＶＤモードになっていることが表示される。
【００５５】
一方、電源オンに移行した後に、リモートコントローラ５等に、動作モードをＤＶＤモードからＶＣＲモードに変更する指示が入力されると、制御部３は、動作をステップＳ１１からステップＳ２１に移行して、指示された動作モードがＶＣＲモードであるかどうかを調べる。このときでは、ＶＣＲモードであるため、動作は、ステップＳ２１からステップＳ２２に移行し、トランジスタＱ１がオンされる（既にオン状態にあるときでは、その状態が維持される）。その結果、第１の発光ダイオードＤ１が発光され、第２の発光ダイオードＤ２が消灯されて、ＤＶＤモードになっていることが表示される。
【００５６】
また、上記ループ動作において、リモートコントローラ５等に入力された指示が、電源オフの指示となる場合、制御部３は、電源オフに対応した動作を開始する。なお、このときでは、電源オフの指示に対応して、直ちに装置本体が電源オフ状態に移行して見えるようにするため、制御部３は、電源部２が第１の直流出力Ｐ１と第２の直流出力Ｐ２とを送出する状態を維持したまま、トランジスタＱ１とトランジスタＱ２との双方をオフにする。その結果、第１〜第３の発光ダイオードＤ１〜Ｄ３が消灯する（ステップＳ１２，Ｓ１３）。
【００５７】
また、負荷装置部１を電源オフ状態に対応した状態に移行させる。すなわち、ビデオレコーダ部８におけるビデオカセットテープのアンロード、等を行う。また、ＤＶＤレコーダ部９の状態が、映像信号のＤＶＤへの記録中となっているときでは、映像信号の記録を終了するために必要となる各種の処理を行う（ステップＳ１４）。そして後、制御部３は、電源部２を制御することによって、第１の直流出力Ｐ１と第２の直流出力Ｐ２との送出を停止する（ステップＳ１５）。
【００５８】
また、上記したループ動作において、リモートコントローラ５等に入力された指示が、動作モードの変更の指示や電源オフの指示とは異なる場合、動作は、ステップＳ２７からステップＳ２８に移行して、入力された指示に対応する処理が実行される。
【００５９】
なお、本発明は上記実施形態に限定されず、第１のスイッチ素子（トランジスタＱ１）については、第１の直流出力Ｐ１の出力点２０１と第１の発光ダイオードＤ１のアノードとの間に挿入した場合について説明したが、第１の直流出力Ｐ１の電圧を充分に高い電圧とするときには、第１の発光ダイオードＤ１のアノードを出力点２０１に接続し、第１の発光ダイオードＤ１のカソードと第２の抵抗Ｒ２との間に第１のスイッチ素子を挿入した構成、等とすることもできる。
【００６０】
また、第２のスイッチ素子については、第２の発光ダイオードＤ２のアノードと第２の直流出力Ｐ２との間に挿入した場合について説明したが、第１の抵抗Ｒ１と接地レベルとの間に挿入した構成、等とすることもできる（このときでは、第２のスイッチ素子にはＮＰＮトランジスタ用いる）。
【００６１】
また、第２の抵抗Ｒ２については、第１の発光ダイオードＤ１のアノード側に挿入した構成とすることもできる。
【００６２】
また、第１の直流出力Ｐ１の電圧および第２の直流出力Ｐ２の電圧については、第１の直流出力Ｐ１の電圧を第２の直流出力Ｐ２の電圧より高くする限りでは、その他の任意の電圧とする（例えば、第１の直流出力Ｐ１を１０Ｖとし、第２の直流出力Ｐ２を５Ｖとする）ことができる。
【００６３】
また、ビデオカセットレコーダ一体型ＤＶＤレコーダに適用した場合について説明したが、２つの発光ダイオードの発光を切り換えることが必要となるその他の任意の装置の場合にも、同様に適用することができる。
【図面の簡単な説明】
【００６４】
【図１】本発明に係る発光ダイオード点灯装置の一実施形態を用いたビデオカセットレコーダ一体型ＤＶＤレコーダの電気的構成を示すブロック線図である。
【図２】電源オン時の実施形態の主要動作を示すフローチャートである。
【図３】モード変更の指示や電源オフの指示を入力したときの実施形態の主要動作を示すフローチャートである。
【図４】従来技術の電気的接続を示す回路図である。
【符号の説明】
【００６５】
１  負荷装置部
２  電源部
３  制御部
８  ビデオレコーダ部
９  ＤＶＤレコーダ部
２０１  出力点
Ｄ１  第１の発光ダイオード
Ｄ２  第２の発光ダイオード
Ｐ１  第１の直流出力
Ｐ２  第２の直流出力
Ｑ１  第１のスイッチ素子
Ｑ２  第２のスイッチ素子
Ｒ１  第１の抵抗
Ｒ２  第２の抵抗
【図１】
2006032449.tif 000003
【図２】
2006032449.tif 000004
【図３】
2006032449.tif 000005
【図４】
2006032449.tif 000006